(57)【特許請求の範囲】
【請求項１】
カードの表面のうち、進行方向中心線からずれた部分を駆動ローラで挟んでカード搬送路内を搬送することにより、そのカードをカード排出口より突出させるカード搬送装置において、
カードの表面のうち、進行方向中心線から駆動ローラで挟む側にずれた部分に接触可能であると共に、カード搬送路内に突起する第一突起ガイドと、
進行方向中心線から他方の側にずれた部分に接触可能であると共に、カード搬送路内に突起し、かつ、カードと接触を予定する部分の摩擦力が、第一突起ガイドのカードと接触を予定する部分の摩擦力より小さな摩擦力を有する第二突起ガイドとを、カード排出口と駆動ローラの間のカード搬送路内に備えることを特徴とするカード搬送装置。
【請求項２】
第二突起ガイドのカードと接触を予定する部分の摩擦力を、第一突起ガイドのカードと接触を予定する部分の摩擦力より小さくする方法が、第一突起ガイドのカードの表面に接触を予定する部分の面積を、第二突起ガイドのカードの表面に接触を予定する部分の面積より、広く形成する方法であることを特徴とする請求項１記載のカード搬送装置。
【請求項３】
第二突起ガイドのカードと接触を予定する部分の摩擦力を、第一突起ガイドのカードと接触を予定する部分の摩擦力より小さくする方法が、カード搬送路のうち、第一突起ガイドを設けた部分のカードが通過する隙間を、第二突起ガイドを設けた部分の隙間より、狭く形成する方法であることを特徴とする請求項１記載のカード搬送装置。
【請求項４】
第二突起ガイドのカードと接触を予定する部分の摩擦力を、第一突起ガイドのカードと接触を予定する部分の摩擦力より小さくする方法が、第一突起ガイドのカードの表面に接触を予定する部分の表面粗度を、第二突起ガイドのカードの表面に接触を予定する部分の表面粗度より、粗く形成する方法であることを特徴とする請求項１記載のカード搬送装置。
【請求項５】
第二突起ガイドのカードと接触を予定する部分の摩擦力を、第一突起ガイドのカードと接触を予定する部分の摩擦力より小さくする方法が、第一突起ガイドのカードの表面に接触を予定する部分を、第二突起ガイドのカードの表面に接触を予定する部分より、摩擦係数が大きな材料を用いて形成する方法であることを特徴とする請求項１記載のカード搬送装置。
【発明の詳細な説明】
【０００１】
【発明の属する技術分野】
本発明は、磁気カード等のカードを、１枚ずつ搬送してカード排出口より突出させるカード搬送装置に関するものである。
【０００２】
【従来の技術】
磁気カード、ＩＣカード、光カード等の各種カードに記録された情報を読み出したり、情報を書き込むために、カードリーダー等が用いられており、このカードリーダー等にカードを１枚ずつ投入して搬送したり、そのカードを排出するために、カード搬送装置が用いられている。
【０００３】
このカード搬送装置としては、例えば図３に示すような、カード投入口１４やカード排出口１６に連通し、カード１０の厚みよりやや広い空隙よりなるカード搬送路１２と、そのカード搬送路１２に露出する回転可能な駆動ローラ１８とを備え、カード搬送路１２内に投入されたカード１０を駆動ローラ１８ａで挟んで進行させることにより、記録再生ヘッド１９等の部分に搬送した後、そのカード１０を駆動ローラ１８ｂで挟んで進行させることによりカード排出口１６より突出させる装置が用いられている。
【０００４】
なお、カード１０の情報記録部分は、カード１０の表面のうち進行方向Ｆ中心線ＣＬから一方にずれた部分に設けられていることが一般的である。そのため、カード１０を搬送する際に駆動ローラ１８ａ・・で情報記録部分を傷つけたり汚したりしないように、カード１０の表面のうち情報記録部分を設けた側と反対の側にずれた部分を駆動ローラ１８ａ・・で挟んで搬送するようになっている。
【０００５】
しかし、このようなカード１０の表面のうち、進行方向Ｆ中心線ＣＬからずれた部分を駆動ローラ１８ａ・・で挟んで搬送する場合、搬送時に左右のバランスを崩してスムーズな排出が困難となり、１０ａで示すようにカード１０ａが曲がった状態でカード排出口１６より突出したり、カード搬送路１２内でカード１０の詰まりが生ずる場合があるという問題があった。
【０００６】
【発明が解決しようとする課題】
本発明は、上記問題点を改善するために成されたもので、その目的とするところは、カードの表面のうち、進行方向中心線からずれた部分を駆動ローラで挟んでカード搬送路内を搬送することにより、そのカードをカード排出口より突出させるカード搬送装置であって、カードをスムーズにカード排出口より突出させることが可能なカード搬送装置を提供することにある。
【０００７】
【課題を解決するための手段】
本発明の請求項１に係るカード搬送装置は、カードの表面のうち、進行方向中心線からずれた部分を駆動ローラで挟んでカード搬送路内を搬送することにより、そのカードをカード排出口より突出させるカード搬送装置において、カードの表面のうち、進行方向中心線から駆動ローラで挟む側にずれた部分に接触可能であると共に、カード搬送路内に突起する第一突起ガイドと、進行方向中心線から他方の側にずれた部分に接触可能であると共に、カード搬送路内に突起し、かつ、カードと接触を予定する部分の摩擦力が、第一突起ガイドのカードと接触を予定する部分の摩擦力より小さな摩擦力を有する第二突起ガイドとを、カード排出口と駆動ローラの間のカード搬送路内に備えることを特徴とする。
【０００８】
本発明の請求項２に係るカード搬送装置は、請求項１記載のカード搬送装置において、第二突起ガイドのカードと接触を予定する部分の摩擦力を、第一突起ガイドのカードと接触を予定する部分の摩擦力より小さくする方法が、第一突起ガイドのカードの表面に接触を予定する部分の面積を、第二突起ガイドのカードの表面に接触を予定する部分の面積より、広く形成する方法であることを特徴とする。
【０００９】
本発明の請求項３に係るカード搬送装置は、請求項１記載のカード搬送装置において、第二突起ガイドのカードと接触を予定する部分の摩擦力を、第一突起ガイドのカードと接触を予定する部分の摩擦力より小さくする方法が、カード搬送路のうち、第一突起ガイドを設けた部分のカードが通過する隙間を、第二突起ガイドを設けた部分の隙間より、狭く形成する方法であることを特徴とする。
【００１０】
本発明の請求項４に係るカード搬送装置は、請求項１記載のカード搬送装置において、第二突起ガイドのカードと接触を予定する部分の摩擦力を、第一突起ガイドのカードと接触を予定する部分の摩擦力より小さくする方法が、第一突起ガイドのカードの表面に接触を予定する部分の表面粗度を、第二突起ガイドのカードの表面に接触を予定する部分の表面粗度より、粗く形成する方法であることを特徴とする。
【００１１】
本発明の請求項５に係るカード搬送装置は、請求項１記載のカード搬送装置において、第二突起ガイドのカードと接触を予定する部分の摩擦力を、第一突起ガイドのカードと接触を予定する部分の摩擦力より小さくする方法が、第一突起ガイドのカードの表面に接触を予定する部分を、第二突起ガイドのカードの表面に接触を予定する部分より、摩擦係数が大きな材料を用いて形成する方法であることを特徴とする。
【００１２】
【発明の実施の形態】
本発明に係るカード搬送装置を図面に基づいて説明する。図１は本発明に係るカード搬送装置の第１の実施の形態を説明する図であり、図２は本発明に係るカード搬送装置の第２の実施の形態を説明する図である。
【００１３】
本発明に係るカード搬送装置の第１の実施の形態は、図１に示すように、カード投入口１４やカード排出口１６に連通し、カード１０の厚みよりやや広い空隙よりなるカード搬送路１２と、そのカード搬送路１２に露出する回転可能な駆動ローラ１８を備え、カード搬送路１２内に投入されたカード１０を駆動ローラ１８で挟んでカード搬送路１２内を搬送することにより、そのカード１０をカード排出口１６より突出させるカード搬送装置である。
【００１４】
なお、駆動ローラ１８は、カード１０の表面のうち、進行方向Ｆ中心線ＣＬからずれた部分を挟んでカード搬送路１２内を搬送するようになっている。なお、駆動ローラ１８は、カード１０を両面から挟んで搬送するようにしても良く、カード１０の一方の面に接触させることにより、カード搬送路１２の壁面と駆動ローラ１８とで挟んで搬送するようにしても良い。
【００１５】
また、カード排出口１６と駆動ローラ１８の間のカード搬送路１２内には、カード１０の表面のうち、進行方向Ｆ中心線ＣＬから駆動ローラ１８で挟む側にずれた部分に接触可能であると共に、カード搬送路１２内に突起する第一突起ガイド２０と、進行方向Ｆ中心線ＣＬから他方の側にずれた部分に接触可能であると共に、カード搬送路１２内に突起する第二突起ガイド２２とを、備えている。
【００１６】
なお、第一突起ガイド２０のカード１０の表面に接触を予定する部分の面積が、第二突起ガイド２２のカード１０の表面に接触を予定する部分の面積より、広く形成されており、第二突起ガイド２２のカード１０と接触を予定する部分の摩擦力が、第一突起ガイド２０のカード１０と接触を予定する部分の摩擦力より小さな摩擦力を有するようになっている。そのため、カード１０をスムーズにカード排出口１６より突出させることが可能になっている。なお、第二突起ガイド２２のカード１０と接触を予定する部分の摩擦力が、第一突起ガイド２０のカード１０と接触を予定する部分の摩擦力より大きな場合や、同じ場合は、カード１０に曲がり等が生じ、カード１０をスムーズにカード排出口１６より突出させることが困難になる場合がある。
【００１７】
これは、駆動ローラ１８でカード１０の表面のうち進行方向Ｆ中心線ＣＬからずれた部分を挟んで搬送した場合、カード１０に動力が加えられる位置（カード１０の駆動ローラ１８と接触する位置）が進行方向Ｆ中心線ＣＬ上からずれるため、動力が加えられた第一突起ガイド２０を設けた側の推進力が、他方の第二突起ガイド２２を設けた側の推進力より大きくなる。
【００１８】
しかし、本発明に係るカード搬送装置は、第二突起ガイド２２のカード１０と接触を予定する部分の摩擦力が、第一突起ガイド２０のカード１０と接触を予定する部分の摩擦力より小さな摩擦力を有するようになっているため、カード１０が第一突起ガイド２０や第二突起ガイド２２と接触することによって生じる摩擦力の差により、その推進力の差を打ち消すことができ、カード１０をスムーズにカード排出口１６より突出させることが可能になる。
【００１９】
なお、第一突起ガイド２０のカード１０の表面に接触を予定する部分の面積、及び第二突起ガイド２２のカード１０の表面に接触を予定する部分の面積は、カード１０に動力が加えられる位置の進行方向Ｆ中心線ＣＬからのずれの大きさや、駆動ローラ１８からカード１０に加えられる動力の大きさ等に応じて、カード１０が曲がった状態でカード排出口１６より突出しない程度に調整する。
【００２０】
第二突起ガイド２２のカード１０と接触を予定する部分の摩擦力を、第一突起ガイド２０のカード１０と接触を予定する部分の摩擦力より小さくする方法は、上記第一突起ガイド２０のカード１０の表面に接触を予定する部分の面積を、第二突起ガイド２２のカード１０の表面に接触を予定する部分の面積より、広く形成する方法のみに限定するものではなく、カード１０が通過する隙間を調整する方法や、表面粗度を調整する方法や、摩擦係数が異なる材料を用いる方法等でもよい。これらの場合も同様に、カード１０をスムーズにカード排出口１６より突出させることが可能になる。
【００２１】
カード１０が通過する隙間を調整する方法としては、図２に示すように、カード搬送路１２のうち、第一突起ガイド２０を設けた部分のカード１０が通過する隙間を、第二突起ガイド２２を設けた部分の隙間より、狭く形成する方法であり、この隙間の差によって、カード１０が第一突起ガイド２０に接触する頻度と、カード１０が第二突起ガイド２２に接触する頻度に差が生じるため、摩擦力に差が生じ、第二突起ガイド２２のカード１０と接触を予定する部分の摩擦力が、第一突起ガイド２０のカード１０と接触を予定する部分の摩擦力より小さな摩擦力を有するようになる。
【００２２】
また、表面粗度を調整する方法としては、第一突起ガイド２０のカード１０の表面に接触を予定する部分の表面粗度を、第二突起ガイド２２のカード１０の表面に接触を予定する部分の表面粗度より、粗く形成する方法であり、この表面粗度の差によって摩擦力に差が生じ、第二突起ガイド２２のカード１０と接触を予定する部分の摩擦力が、第一突起ガイド２０のカード１０と接触を予定する部分の摩擦力より小さな摩擦力を有するようになる。
【００２３】
また、摩擦係数が異なる材料を用いる方法としては、第一突起ガイド２０のカード１０の表面に接触を予定する部分を、第二突起ガイド２２のカード１０の表面に接触を予定する部分より、摩擦係数が大きな材料を用いて形成する方法であり、この摩擦係数の差によって摩擦力に差が生じ、第二突起ガイド２２のカード１０と接触を予定する部分の摩擦力が、第一突起ガイド２０のカード１０と接触を予定する部分の摩擦力より小さな摩擦力を有するようになる。なお、摩擦係数が大きな材料としては、ゴム類等が挙げられ、それに対する摩擦係数が小さな材料としては、プラスチック類等が挙げられる。
【００２４】
なお、上記実施の形態は、第一突起ガイド２０や第二突起ガイド２２を、カード搬送路１２の上下両面に形成した実施の形態を説明したが、上面又は下面のどちらか一方に形成しても良い。この場合も、第二突起ガイド２２のカード１０と接触を予定する部分の摩擦力を、第一突起ガイド２０のカード１０と接触を予定する部分の摩擦力より小さく形成すれば、カード１０をスムーズにカード排出口１６より突出させることが可能になる。
【００２５】
【発明の効果】
本発明に係るカード搬送装置は、上記のような第一突起ガイドと第二突起ガイドを、カード排出口と駆動ローラの間のカード搬送路内に備えるため、カードをスムーズにカード排出口より突出させることが可能になる。
【図面の簡単な説明】
【図１】本発明に係るカード搬送装置の第１の実施の形態を説明する図であり、（ａ）は正面図、（ｂ）は平面図である。
【図２】本発明に係るカード搬送装置の第２の実施の形態を説明する図であり、（ａ）は正面図、（ｂ）は平面図、（ｃ）は側面図である。
【図３】従来のカード搬送装置を説明する図であり、（ａ）は正面図、（ｂ）は平面図である。
【符号の説明】
１０  カード
１２  カード搬送路
１４  カード投入口
１６  カード排出口
１８  駆動ローラ
１９  記録再生ヘッド
２０  第一突起ガイド
２２  第二突起ガイド
ＣＬ  カードの進行方向中心線
Ｆ    カードの進行方向
【図１】
0003700413.tif 000002
【図２】
0003700413.tif 000003
【図３】
0003700413.tif 000004